(57)【要約】      （修正有）【課題】足の蒸れによる発汗、臭いの発生があっても、靴の外部に臭いがもれることがなく、臭いによる不快感を解消できる靴用インナーを提供する。【解決手段】靴側に接する外側シートと足裏側に接する内側シートで構成され、前記外側シートと前記内側シートは互いに重ね合わされた複合シート素材１１からなり、複合シート素材１１は足の踵側に接する踵部１６と、この踵部１６から足指方向に延び、足裏側、足指側及び足の甲側をカバーする面積を有するカバー部１７を有し、踵部１６の頂部側からカバー部１７の両側の途中まで下傾斜するガード部１８が形成されていることを特徴とする。【選択図】図１
0003212203.tif 000002
【実用新案登録請求の範囲】
【請求項１】
靴側に接する外側シートと足裏側に接する内側シートで構成され、前記外側シートと前記内側シートは互いに重ね合わされた複合シート素材からなり、
前記複合シートは足の踵側に接する踵部と、この踵部から足指方向に延び、足裏側、足指側及び足の甲側をカバーする面積を有するカバー部を有し、前記カバー部はほぼ平面状で、足指方向に拡開する形状であり、
前記踵部の頂部側から前記カバー部の両側の途中まで下傾斜するガード部が形成されていることを特徴とする靴用インナー。
【請求項２】
前記外側シートは非吸水性素材からなり、前記内側シートは吸水性素材からなる、請求項１に記載の靴用インナー。
【考案の詳細な説明】
【技術分野】
【０００１】
この考案は、皮靴、運動靴などを履く際に、足を覆うための靴用インナーに関する。
【背景技術】
【０００２】
靴を長時間履くと、足が汗を掻き、それに伴い臭いを発生することになるので、靴を脱いだときに周囲の人に不快感を与えることになる。
このような問題を解決するものとして、靴下の内部にビニールを張り合わせることにより、臭いを封じ込めるものが提案されている（特許文献１）。
また、靴下の内側に用いられる靴用インナーとして、通気性ある不織布の靴用インナーが提案されている（特許文献２）。
上記したいずれの提案も靴下の内側に配置するように工夫されたものであるため、使用者の足の大きさに左右され、靴下と同様、足の大きさごとに製作しておく必要がある。
【先行技術文献】
【特許文献】
【０００３】
【特許文献１】実開平１−１１４６０５号公報
【特許文献２】特開２０１４−１７３２１８号公報
【考案の概要】
【考案が解決しようとする課題】
【０００４】
この考案は、このような問題点を解決するためになされたもので、汗が靴に染み込むことがないため、靴から発生する汗の臭いによる不快感を与えることがなく、しかも使用者の足の大きさ、足の指の長さ、足の甲の高さに制約されずに利用可能な靴用インナーを提供するものである。
【課題を解決するための手段】
【０００５】
以上の目的を達成するために、この考案の靴用インナーは、靴側に接する外側シートと足裏側に接する内側シートで構成され、前記外側シートと前記内側シートは互いに重ね合わされた複合シート素材からなり、
前記複合シートは足の踵側に接する踵部と、この踵部から足指方向に延び、足裏側、足指側及び足の甲側をカバーする面積を有するカバー部を有し、前記カバー部はほぼ平面状で、足指方向に拡開する形状であり、
前記踵部の頂部側から前記カバー部の両側の途中まで下傾斜するガード部が形成されていることを特徴とする。
また、この靴用インナーにおいて、前記外側シートは非吸水性素材からなり、前記内側シートは吸水性素材から構成されることを特徴とする。
【０００６】
複合シート素材を構成する外側シートと内側シートとは互いに重ね合わされて構成され
ているが、両者を接着剤で張り合わせたり、互いに縫い合わせて構成することで達成することができる。
ここで、外側シートに用いられる非吸水性素材としては、塩化ビニール、ウレタン系樹脂、ポリエステル系樹脂、ポリオレフィン系樹脂、シリコンゴムなどがある。また、内側シートに用いられるものとしては、吸水性のものであればよく、ウール、吸水性ポリエステルなどの素材からなるシート状物で構成することができる。さらに、内側シートには消臭剤、抗菌剤などを吸着させてもので構成してもよい。さらにまた、内側シートを伸縮性のある素材で構成することで、快適なフィット感を得ることができる。
【考案の効果】
【０００７】
この考案の靴用インナーによれば、着用することで足裏、足指及び足の甲を包んだ状態でカバーすることができ、靴を履くことで靴の内部で確実に保持されるので、足の蒸れによる発汗、臭いの発生があっても、靴の外部に臭いが漏れるのを抑制でき、周囲に不快感を与えることがない。
また、踵部及びガード部により足の踵周囲を囲むため、この靴用インナーの装着位置がズレる恐れがない。
【０００８】
また、この靴用インナーのシート部を折りたたんで足を包む状態で使用するものであるため、足の大きさ、足の指の長さ、足の甲の高さに制約されず、足の寸法が多少異なっても利用可能なものである。
さらに、この考案の靴用インナーで足を直接カバーしたり包むことにより、その上にストッキング等を履いて利用したり、靴下を先に履いてから、その上でこの靴用インナーで足をカバーすることもでき、利用者側で靴用インナーの使用状態を選ぶことができる。
【図面の簡単な説明】
【０００９】
【図１】この考案の一実施例に係る靴用インナーの斜視図である。
【図２】図１の靴用インナーの一部断面図である。
【図３】図１の靴用インナーを足に着用した状態を示す側面図である。
【図４】図１の靴用インナーを足に着用した状態を示す上面図である。
【考案を実施するための形態】
【００１０】
以下、この考案の実施の形態を図面に基づいて説明する。
図１は、この考案の一実施例に係る靴用インナーの斜視図であり、また、図２は図１の靴用インナーの一部断面図であり、さらに、図３は図１の靴用インナーを足に着用した状態を示す側面図であり、さらにまた、図４は図１の靴用インナーを足に着用した状態を示す上面図である。
【００１１】
これらの図に示すように、靴用インナー１は、その本体１０が複合シート素材１１で構成されている。具体的には、図２に示すように、複合シート素材１１は、靴側に接する外側シート１２と足裏側に接する内側シート１３で構成され、外側シート１２と内側シート１３は互いに重ね合わされている。この重ね合わされている状態は、外側シート１２と内側シート１３の間に接着剤１４を介在させることで構成される。また、図１において示すように、本体１０の周囲を糸１５で縫い合わせることで実現することもできる。
【００１２】
複合シート素材１１は足の踵側に接する踵部１６と、この踵部１６から装着した利用者の足指方向に延び、足裏側、足指側及び足の甲側をカバーする面積を有するカバー部１７を有している。カバー部１７は足指方向に向かってその幅寸法が拡がるように拡開する形状に採寸されている。また、踵部１６の頂部側からカバー部１７の両側の途中まで下傾斜するガード部１８が形成されている
【００１３】
次に、この靴用インナー１を用いて、足に装着するプロセスを説明する。
まず、この靴用インナー１を広げておき、その主面であるカバー部１７に足を置く。このとき足の踵側を靴用インナー１の踵部１６に隙間のないように位置させる。この状態において、踵部１６から足の先端側に向かって、足裏側、足指側及び足の甲側をカバーする面積を有するカバー部１７がある。この状態から、まず、足の両側部にある複合シート素材１１の一部を折り曲げて足の甲側に折り曲げる。次いで、足指側の先にあるカバー部１７も足の甲側へ折り返し、先に折り曲げて甲側に位置させたカバー部１７の上を覆うように位置させる。この状態により足を靴用インナー１で包み、覆った状態とすることができる。図３、図４が靴用インナー１で足Ａを覆った状態を示す側面図、および上面図である。
【００１４】
このように靴用インナー１で包まれた足は足指側が開放状態であり、つま先の圧迫感がなく、指先が使えるためグリップ性がよくなるので、裸足に近い状態で快適に過ごすことができる。
また、靴用インナーを足に直接履き、外側に他の靴下類を着用することで利用でき、あるいは、予め靴下類を先に履いた上で、この靴用インナーを履くこともでき、利用者側で任意に選択することができる。
さらに、この靴用インナーで足を包むように覆うことができるので、防臭、抗菌、さらには防寒といった機能も併せて有している。
【符号の説明】
【００１５】
１      靴用インナー
１０    本体
１１    複合シート素材
１２    外側シート
１３    内側シート
１４    接着剤
１５    糸
１６    踵部
１７    カバー部
１８    ガード部
【図１】
0003212203.tif 000003
【図２】
0003212203.tif 000004
【図３】
0003212203.tif 000005
【図４】
0003212203.tif 000006